(57)【要約】【課題】従来技術においては、例えば、昇降機と当該昇降機が設けられる建物との電力面での連係の点でさらなる改善の余地がある。【解決手段】実施形態の昇降機を備えた建物の電力システムは、蓄電装置と、昇降機と、案内装置と、制御装置とを備えることを特徴とする。蓄電装置は、建物の電気設備を作動させる電力を蓄電可能である。昇降機は、前記建物に設けられ前記蓄電装置からの電力により昇降する。案内装置は、前記昇降機の運転に関する案内を行う。制御装置は、前記案内装置を制御し、前記蓄電装置に関する情報を案内させる。【選択図】図１
2014114105.tif 000002
【特許請求の範囲】
【請求項１】
建物の電気設備を作動させる電力を蓄電可能である蓄電装置と、
前記建物に設けられ前記蓄電装置からの電力により昇降する昇降機と、
前記昇降機の運転に関する案内を行う案内装置と、
前記案内装置を制御し、前記蓄電装置に関する情報を案内させる制御装置とを備えることを特徴とする、
昇降機を備えた建物の電力システム。
【請求項２】
前記制御装置は、前記案内装置を制御し、前記蓄電装置の残存蓄電量、前記蓄電装置の残存蓄電量に基づいた前記昇降機の運転可能時間、又は、前記蓄電装置の残存蓄電量に基づいた前記昇降機の運転可能回数を案内させる、
請求項１に記載の昇降機を備えた建物の電力システム。
【請求項３】
前記制御装置は、前記案内装置を制御し、前記蓄電装置の残存蓄電量に基づいて、前記昇降機によって所望の目的地まで昇降可能であるか否かを案内させる、
請求項１又は請求項２に記載の昇降機を備えた建物の電力システム。
【請求項４】
前記制御装置は、前記建物の電力使用量に関する情報を取得可能であり、前記案内装置を制御し、前記建物の電力使用量を見込んだ前記蓄電装置に関する情報を案内させる、
請求項１乃至請求項３のいずれか１項に記載の昇降機を備えた建物の電力システム。
【請求項５】
前記制御装置は、前記昇降機が設けられる建物とは別の他の建物と連係可能であり、前記案内装置を制御し、当該他の建物の蓄電装置の残存蓄電量を踏まえて前記蓄電装置に関する情報を案内させる、
請求項１乃至請求項４のいずれか１項に記載の昇降機を備えた建物の電力システム。
【発明の詳細な説明】
【技術分野】
【０００１】
本発明の実施形態は、昇降機を備えた建物の電力システムに関する。
【背景技術】
【０００２】
従来、建物に設けられる昇降機、例えば、エレベータは、昇降路内を乗りかごが移動することにより、乗りかごを任意の階床に移動させる。このような昇降機は、例えば、商用電源の停電時等において種々の制御が実行される場合がある。
【先行技術文献】
【特許文献】
【０００３】
【特許文献１】特開２００５−１６２４４２号公報
【発明の概要】
【発明が解決しようとする課題】
【０００４】
ところで、従来技術においては、例えば、昇降機と当該昇降機が設けられる建物との電力面での連係の点でさらなる改善の余地がある。
【課題を解決するための手段】
【０００５】
実施形態の昇降機を備えた建物の電力システムは、蓄電装置と、昇降機と、案内装置と、制御装置とを備えることを特徴とする。蓄電装置は、建物の電気設備を作動させる電力を蓄電可能である。昇降機は、前記建物に設けられ前記蓄電装置からの電力により昇降する。案内装置は、前記昇降機の運転に関する案内を行う。制御装置は、前記案内装置を制御し、前記蓄電装置に関する情報を案内させる。
【図面の簡単な説明】
【０００６】
【図１】図１は、実施形態に係る電力システムの概略構成例を示すブロック図である。
【図２】図２は、実施形態に係るかご操作盤の一例を示す正面図である。
【図３】図３は、実施形態に係る乗場操作盤の一例を示す正面図である。
【図４】図４は、実施形態に係る電力システムにおける制御の一例を説明するフローチャートである。
【発明を実施するための形態】
【０００７】
［実施形態］
図１は、実施形態に係る電力システムの概略構成例を示すブロック図である。図２は、実施形態に係るかご操作盤の一例を示す正面図である。図３は、実施形態に係る乗場操作盤の一例を示す正面図である。図４は、実施形態に係る電力システムにおける制御の一例を説明するフローチャートである。
【０００８】
図１に示す本実施形態の電力システム１は、典型的には、昇降機３を備えた建物１００の全体で電力のマネージメントを効率的に行い、省エネルギで昇降機３を運用するためのシステムである。この電力システム１は、昇降機３と当該昇降機３が設けられる建物１００での電力使用状態とを連係させて、適正に昇降機３を運転させるものである。また、この電力システム１は、昇降機３が設けられる建物（建物Ａ）１００とは別の他の建物（建物Ｂ、Ｃ）２００、３００とも連係可能であり、これら建物１００、２００、３００を含む地域全体で電力のマネージメントを効率的に行うことも可能なシステムである。
【０００９】
具体的には、電力システム１は、蓄電装置２と、昇降機３と、制御装置４とを備える。またさらに、電力システム１は、案内装置５０を備える。制御装置４は、受電変換器４１、切替器４２、切替器４３、インバータ４４、統合制御装置４５、エレベータ制御装置４６、バッテリ制御装置４７等を含んで構成される。本実施形態の電力システム１は、例えば、蓄電装置２を昇降機３の電源としてだけでなく、昇降機３が設置されている建物１００の電気設備１０１の電源としても用いる。電力システム１は、制御装置４による各種制御によって、昇降機３の電力状態と建物１００側の電力状態とを協調させ、蓄電装置２に蓄電されている電力を有効に活用して昇降機３を効率的に運転する。
【００１０】
蓄電装置２は、建物１００の電気設備１０１を作動させる電力を蓄電可能なものであると共に、当該蓄電された電力によって昇降機３を運転させることも可能である。蓄電装置２は、電力を蓄電可能な二次電池である。本実施形態の蓄電装置２は、３つのバッテリ２１、２２、２３により構成されるものとして説明するが、これに限らず、２つ、あるいは、４つ以上のバッテリを含んで構成されてもよいし、１つのバッテリで構成されてもよい。ここでは、バッテリ２１、２２は、典型的には、主に昇降機３以外の建物１００側の電気設備１０１で使用される電力を蓄電するバッテリ（建物用）である。これに対して、バッテリ２３は、典型的には、主に昇降機３側で使用される電力を蓄電するバッテリ（ＥＬ用）である。蓄電装置２の各バッテリ２１、２２、２３は、後述するように種々の電力源からの電力が受電変換器４１、切替器４２等を介して供給され充電される。蓄電装置２は、各バッテリ２１、２２、２３が制御装置４の切替器４２等を介して相互に接続されており、当該切替器４２を介して各バッテリ２１、２２、２３間で相互に電力の授受を行うことができる。また、バッテリ２１、２２の電力は、主として電気設備１０１側で優先的に用いられるがこれに限らず、必要に応じて当該切替器４２等を介して昇降機３側で用いることも可能である。同様に、バッテリ２３は、主として昇降機３側で優先的に用いられるがこれに限らず、必要に応じて当該切替器４２等を介して電気設備１０１側で用いることも可能である。また、各バッテリ２１、２２、２３は、それぞれ、各バッテリ２１、２２、２３の電流を検出する電流計２４、各バッテリ２１、２２、２３の電圧を検出する電圧計２５が設けられている。
【００１１】
ここで、建物１００の電気設備１０１は、建物１００に設置され、電力が供給されることで作動する種々の電気機器を含む。電気設備１０１としては、例えば、建物１００の照明機器、上下水道ポンプ、各種セキュリティ機器、空調機器、機械駐車場駆動装置、医療機器等のうち少なくとも１つを含んでいてもよい。
【００１２】
昇降機３は、建物１００に設けられ、蓄電装置２からの電力により昇降するものである。昇降機３は、蓄電装置２の電力を用いて昇降動作する。昇降機３は、例えば、エレベータ及び乗客コンベアを含む概念であり、乗客コンベアは、エスカレータ及び動く歩道を含むものである。なお、以下の説明では、昇降機３は、エレベータであるものとして説明する。
【００１３】
昇降機３は、乗りかご３１がそれぞれ昇降路を昇降することで運行サービスを行う。昇降機３は、乗りかご３１、カウンタウェイト３２、メインロープ３３、巻上機３４、乗場３５等を含んで構成される。昇降機３は、乗りかご３１とカウンタウェイト３２とをメインロープ３３で連結したいわゆるつるべ式のエレベータである。昇降機３は、制御装置４のエレベータ制御装置４６によって各部の駆動が制御されて乗りかご３１が昇降路内を昇降することで、任意の目的階の乗場３５に移動することができるものである。
【００１４】
乗りかご３１は、建物１００に設けられた昇降路を昇降可能である。乗りかご３１は、かご操作盤３６や荷重検出器３７等を含んで構成される。かご操作盤３６は、乗りかご３１の内部に設けられる。かご操作盤３６は、利用者による操作入力に応じていわゆるかご呼び登録等を行う。荷重検出器３７は、乗りかご３１内の積載荷重を検出する。
【００１５】
カウンタウェイト３２は、乗りかご３１に対するつり合おもりである。
【００１６】
メインロープ３３は、昇降路の上部に設けられた巻上機３４のメインシーブ３４ａやそらせシーブ（不図示）等に掛けられる。メインロープ３３は、一端に乗りかご３１が接続され、他端にカウンタウェイト３２が接続される。
【００１７】
巻上機３４は、昇降体としての乗りかご３１及びカウンタウェイト３２を昇降する昇降駆動部であり、例えば、メインシーブ３４ａ、電動機（モータ）３４ｂ等を含んで構成される。電動機３４ｂは、蓄電装置２のバッテリ２３等から、制御装置４の切替器４３、インバータ４４等を介して電力が供給される。巻上機３４は、電動機３４ｂが駆動することで、この電動機３４ｂに連結されたメインシーブ３４ａが回転駆動する。そして、巻上機３４は、メインシーブ３４ａとメインロープ３３との間に生じる摩擦力を利用してメインロープ３３を電動で巻き上げる。また、電動機３４ｂは、回生発電も可能である。つまり、この電動機３４ｂは、いわゆる回転電機であり、供給された電力を機械的動力に変換する電動機としての機能（力行機能）と、入力された機械的動力を電力に変換する発電機としての機能（回生機能）とを兼ね備えている。
【００１８】
乗場３５は、乗りかご３１が着床可能な各エレベータ停止階床に設けられる。乗場３５は、乗場操作盤３８等を含んで構成される。乗場操作盤３８は、利用者による操作入力に応じていわゆる乗場呼び登録等を行う。
【００１９】
また、この電力システム１は、案内装置５０としてのかご案内装置３９Ａ及び乗場案内装置３９Ｂを備える。かご案内装置３９Ａ、乗場案内装置３９Ｂは、昇降機３の運転に関する案内等を行うものである。かご案内装置３９Ａは、乗りかご３１内に設けられる。乗場案内装置３９Ｂは、各乗場３５に少なくとも１つずつ設けられる。かご案内装置３９Ａ、乗場案内装置３９Ｂは、例えば、報知音を出力可能なブザー、種々の音声情報をアナウンス可能なスピーカ、種々の表示情報を表示可能な表示装置等を含んで構成される。なお、かご案内装置３９Ａは、例えば、図２に例示するように、かご操作盤３６を含むＣＯＰ（Ｃａｒ  Ｏｐｅｒａｔｉｏｎ  Ｐａｎｅｒｌ）に組み込まれて設けられてもよいし、これとは別個に専用の案内装置として設けられてもよい。また、乗場案内装置３９Ｂは、例えば、図３に例示するように、乗場操作盤３８を含むＨＩＢ（Ｈａｌｌ  Ｉｎｄｉｃａｔｏｒ  Ｂｏｘ）に組み込まれて設けられてもよいし、これとは別個に専用の案内装置として設けられてもよい。
【００２０】
制御装置４は、受電変換器４１、切替器４２、切替器４３、インバータ４４、統合制御装置４５、エレベータ制御装置４６、バッテリ制御装置４７等により、電力システム１の各部を制御するものである。なお、統合制御装置４５、エレベータ制御装置４６、及び、バッテリ制御装置４７は、一体で１つの制御装置により構成されるものであってもよい。
【００２１】
受電変換器４１は、種々の電力源からの電力を受電し、受電した電力を蓄電装置２に充電可能な直流電力に変換するものである。受電変換器４１は、例えば、コンバータや整流器等の種々の変換器、変換回路を含んで構成される。受電変換器４１に電力を供給する種々の電力源としては、例えば、太陽光パネル５や商用電源４００等を用いることができる。太陽光パネル５は、例えば、建物１００の屋上等に設けられる。太陽光パネル５は、複数の太陽電池を相互接続して構成され、光起電力効果を利用し、光エネルギを直接電力に変換する機器である。商用電源４００は、例えば、建物１００の外部に設けられる三相交流電源である。さらに、受電変換器４１は、建物１００とは別の建物２００、３００を電力源とし、当該建物２００、３００から電力を受電し、あるいは、建物１００と建物２００、３００との間で連係させて相互に電力を融通するようにしてもよい。受電変換器４１は、切替器４２に接続されており、受電した電力を蓄電装置２の各バッテリ２１、２２、２３に充電可能な直流電力に変換して当該切替器４２に出力する。
【００２２】
切替器４２は、蓄電装置２の各バッテリ２１、２２、２３の充電／放電の状態を切り替え可能なものである。切替器４２は、種々のスイッチ、切替回路等を含んで構成される。切替器４２は、上述したように受電変換器４１に接続されると共に、蓄電装置２の各バッテリ２１、２２、２３に接続される。切替器４２は、受電変換器４１から各バッテリ２１、２２、２３への電力の供給経路を接続／遮断することで、当該受電変換器４１から供給される電力の充電先を切り替えることができる。切替器４２は、受電変換器４１から供給される電力によって、バッテリ２１、２２、２３のいずれか、あるいは、すべてを充電することができる。さらに、切替器４２は、変換器６等を介して電気設備１０１にも接続されている。切替器４２は、各バッテリ２１、２２、２３に蓄電されている電力を放電させ、変換器６等を介して電気設備１０１側に供給することができる。変換器６は、例えば、コンバータや整流器等の種々の変換器、変換回路を含んで構成され、供給される電力を電気設備１０１で使用可能な電力に変換して電気設備１０１側に供給するものである。これにより、各電気設備１０１は、各バッテリ２１、２２、２３からの電力が供給されることで当該各バッテリ２１、２２、２３からの電力によって作動することができる。なお、各電気設備１０１は、変換器６等を介して商用電源４００から直接的に電力が供給される構成であってもよい。
【００２３】
切替器４３は、蓄電装置２からインバータ４４への電力の供給状態を切り替え可能なものである。切替器４３は、種々のスイッチ、切替回路等を含んで構成される。切替器４３は、一端がバッテリ２３と切替器４２との共通接続点に接続され、他端がインバータ４４に接続される。切替器４３は、蓄電装置２のバッテリ２３（あるいはバッテリ２１、２２）からインバータ４４への電力の供給経路を接続／遮断することで、当該バッテリ２３とインバータ４４との間で相互に電力を授受できる供給状態と、当該電力の授受を遮断した遮断状態とに切り替えることができる。
【００２４】
インバータ４４は、蓄電装置２からの電力を電動機３４ｂに供給するものである。インバータ４４は、上述したように、一端が切替器４３に接続され、他端が電動機３４ｂに接続される。インバータ４４は、典型的には、切替器４３が供給状態にある場合に、蓄電装置２のバッテリ２３（あるいはバッテリ２１、２２）から供給される直流電力を、任意の電流、周波数の三相交流に変換し、電動機３４ｂに供給し、当該電動機３４ｂを駆動する。また、インバータ４４は、切替器４３が供給状態にある場合に、乗りかご３１の制動時等、昇降機３の回生走行時に電動機３４ｂによって回生発電された回生電力を、交流から直流に変換して蓄電装置２のバッテリ２３（あるいはバッテリ２１、２２）に充電することもできる。
【００２５】
統合制御装置４５は、建物１００において、昇降機３の電力状態と建物１００側の電力状態とを監視しこれらを協調させて各部を統括的に制御するものである。統合制御装置４５は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、建物１００の電気設備１０１の概要等の情報を記憶する。統合制御装置４５は、エレベータ制御装置４６、バッテリ制御装置４７等と電気的に接続される。統合制御装置４５は、エレベータ制御装置４６、及び、バッテリ制御装置４７と相互に検出信号や駆動信号、制御指令等の情報の通信、授受を行い、建物１００の電力状態を管理する。また、統合制御装置４５は、他の建物２００、３００の制御装置（不図示）にも電気的に接続されており、建物１００、２００、３００の電力使用量に関する情報や蓄電装置２の蓄電状態に関する情報等を相互に通信、授受を行うことができる。これにより、統合制御装置４５は、建物１００と建物２００、３００とを連係させて、これら建物１００、２００、３００を含む地域全体で電力状態を管理することもできる。
【００２６】
エレベータ制御装置４６は、昇降機３の各部の動作を統括的に制御するものである。エレベータ制御装置４６は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、昇降機３の仕様等の情報を記憶する。エレベータ制御装置４６は、種々のセンサ、検出器、バッテリ２３の電流計２４、電圧計２５、かご操作盤３６、荷重検出器３７、乗場操作盤３８、かご案内装置３９Ａ、乗場案内装置３９Ｂ、切替器４３、インバータ４４等と電気的に接続される。エレベータ制御装置４６は、例えば、かご操作盤３６、乗場操作盤３８等への利用者からの操作入力に応じて、巻上機３４の駆動を制御し、乗りかご３１を昇降路内で昇降させる。これにより、昇降機３は、乗りかご３１を呼び登録に応じたて指定された目的階に移動させることができる。
【００２７】
バッテリ制御装置４７は、蓄電装置２の蓄電状態を監視し、充放電を制御するものである。バッテリ制御装置４７は、通常の形式の双方向コモン・バスにより相互に連結されたＣＰＵ（中央演算処理装置）、ＲＯＭ、ＲＡＭ、バックアップＲＡＭ及び入出力ポート装置を有するマイクロコンピュータ及び駆動回路を備えている。ＲＯＭ（Ｒｅａｄ  Ｏｎｌｙ  Ｍｅｍｏｒｙ）は、所定の制御プログラム等を予め記憶している。ＲＡＭ（Ｒａｎｄｏｍ  Ａｃｃｅｓｓ  Ｍｅｍｏｒｙ）は、ＣＰＵの演算結果を一時記憶する。バックアップＲＡＭは、予め用意されたマップデータ、蓄電装置２の仕様等の情報を記憶する。バッテリ制御装置４７は、種々のセンサ、検出器、バッテリ２１、２２の電流計２４、電圧計２５、受電変換器４１、切替器４２等と電気的に接続される。バッテリ制御装置４７は、例えば、バッテリ２１、２２の電流計２４、電圧計２５による検出結果に基づいて、バッテリ２１、２２の蓄電状態を監視し、例えば、電気設備１０１からの電力要求等に応じて受電変換器４１、切替器４２等を制御することで、バッテリ２１、２２の充放電を制御する。また、バッテリ制御装置４７は、統合制御装置４５を介してエレベータ制御装置４６からバッテリ２３の電流計２４、電圧計２５による検出結果に関する情報を受け取り、当該バッテリ２３の蓄電状態も監視することができる。そして、バッテリ制御装置４７は、電気設備１０１からの電力要求等に応じて受電変換器４１、切替器４２等を制御することで、バッテリ２３の充放電を制御することもできる。なお、バッテリ制御装置４７は、バッテリ２３の電流計２４、電圧計２５に電気的に接続され、当該バッテリ２３の電流計２４、電圧計２５による検出結果を直接的に取得可能なように構成されてもよい。
【００２８】
本実施形態の電力システム１は、上記構成により様々な電力状態を実現可能である。
【００２９】
例えば、電力システム１は、蓄電装置２に電力を蓄電する場合、商用電源４００の健全時、停電時の両方において、太陽光パネル５からの電力を、受電変換器４１、切替器４２等を介して、バッテリ２１、２２、２３に充電することができる。また、電力システム１は、蓄電装置２に電力を蓄電する場合、商用電源４００の健全時において、商用電源４００からの電力を、受電変換器４１、切替器４２等を介して、バッテリ２１、２２、２３に充電することができる。また、電力システム１は、蓄電装置２に電力を蓄電する場合、商用電源４００の健全時、停電時の両方において、昇降機３の回生走行時に巻上機３４の電動機３４ｂによって回生発電された回生電力を、インバータ４４、切替器４３等を介して、バッテリ２３に優先的に充電することができる。また、電力システム１は、バッテリ２３が満充電状態である場合には、当該電動機３４ｂによって回生発電された回生電力を、インバータ４４、切替器４３、切替器４２等を介して、バッテリ２１、２２に充電することもできる。また、電力システム１は、蓄電装置２に電力を蓄電する場合、商用電源４００の健全時、停電時の両方において、建物２００、３００等から余剰電力を受電し、当該余剰電力を、受電変換器４１、切替器４２等を介して、バッテリ２１、２２、２３に充電することもできる。
【００３０】
なお、電力システム１は、上記のようにして蓄電装置２に電力を蓄電する場合、例えば、商用電源４００からの電力をカットした状態で、太陽光パネル５からの電力や電動機３４ｂによる回生電力を優先利用して、バッテリ２１、２２、２３に充電するようにしてもよい。そして、電力システム１は、太陽光パネル５による発電ができない場合や太陽光パネル５による発電、及び、電動機３４ｂによる回生発電では発電量が十分でない場合等に、商用電源４００からの電力によって、バッテリ２１、２２、２３に充電するようにしてもよい。これにより、電力システム１は、商用電源４００からの電力を極力使用せずに、昇降機３や各電気設備１０１を作動させることができる。
【００３１】
また、電力システム１は、蓄電装置２に蓄電された電力を用いる場合、商用電源４００の健全時、停電時の両方において、バッテリ２１、２２からの電力を切替器４２、変換器６等を介して各電気設備１０１に供給し、当該各電気設備１０１を作動させることができる。電力システム１は、商用電源４００の健全時においては、あわせて、商用電源４００からの電力を、変換器６等を介して各電気設備１０１に供給し、当該各電気設備１０１を作動させることもできる。また、電力システム１は、商用電源４００の健全時、停電時の両方において、バッテリ２３からの電力を、切替器４３、インバータ４４等を介して昇降機３に供給し、昇降機３の運転を行うことができる。また、電力システム１は、商用電源４００の健全時、停電時の両方において、バッテリ２１、２２からの電力を、切替器４２、切替器４３、インバータ４４等を介して昇降機３に供給し、昇降機３の運転を行うことができる。また、電力システム１は、商用電源４００の健全時、停電時の両方において、バッテリ２３からの電力を、切替器４２、変換器６等を介して、各電気設備１０１に供給し、各電気設備１０１を作動させることができる。また、電力システム１は、商用電源４００の健全時、停電時の両方において、蓄電装置２に蓄電された余剰分の電力を、切替器４２及び不図示の変換器等を介して建物２００、３００に融通するようにすることもできる。
【００３２】
そして、昇降機３は、蓄電装置２のバッテリ２３等（必要に応じてバッテリ２１、２２）から電力が供給されている状態で、利用者によりかご操作盤３６、乗場操作盤３８等を介して乗りかご３１の呼び操作が行われた場合、通常運転として、下記のように動作する。すなわち、昇降機３は、かご操作盤３６、乗場操作盤３８からエレベータ制御装置４６にこれに応じた呼び登録信号が入力される。そして、昇降機３は、エレベータ制御装置４６がこの呼び登録信号に応じて乗りかご３１のかご呼び登録、あるいは、乗場呼び登録を行う。そして、エレベータ制御装置４６は、この呼び登録、種々のセンサ、検出器からの出力、乗りかご３１の現在の移動方向（昇降方向）等に基づいて、乗りかご３１が合理的に移動しながらそれぞれの呼びに応答するように乗りかご３１の着床順序を定める。そして、エレベータ制御装置４６は、巻上機３４を駆動制御し、乗りかご３１を目的の階床へと移動させる。これにより、昇降機３は、乗りかご３１が昇降路内を鉛直方向上下に昇降移動し、任意の目的階の乗場３５に移動する。そして、昇降機３は、乗りかご３１が目的階の乗場３５に着床し、所定の着床位置に着床したことが検出されると、その後、エレベータ制御装置４６が乗りかご３１及び乗場３５の扉を開放する。これにより、乗場３５で待機している利用者は、乗りかご３１内に乗り込むことが可能となり、また、乗りかご３１内の利用者は乗場３５に降りることが可能となる。
【００３３】
なお、本実施形態の電力システム１は、さらに、電力情報取得装置７を備えていてもよい。この場合、制御装置４は、例えば、統合制御装置４５に電力情報取得装置７が電気的に接続される。電力情報取得装置７は、昇降機３が設置された建物１００全体の電力使用量を演算するものである。統合制御装置４５は、電力情報取得装置７と相互に電力使用量に関する情報の通信、授受を行う。統合制御装置４５は、電力情報取得装置７から建物１００の電力使用量に関する情報を取得する。
【００３４】
そして、本実施形態の電力システム１は、蓄電装置２に蓄電されている電力を、昇降機３と建物１００の他の電気設備１０１とで共用して用いる構成において、案内装置５０としてのかご案内装置３９Ａ、乗場案内装置３９Ｂによって蓄電装置２に関する情報を案内させる。これにより、電力システム１は、昇降機３の利用者等に対して、当該昇降機３を昇降させる蓄電装置２に関する情報を周知することで、昇降機３と当該昇降機３が設けられる建物１００での電力使用状態とを連係させて、適正に昇降機３を運転させている。
【００３５】
具体的には、制御装置４は、かご案内装置３９Ａ、乗場案内装置３９Ｂを制御し、例えば、昇降機３の利用者等に対して、蓄電装置２に関する情報を案内させる。なお、電力システム１は、かご案内装置３９Ａ、乗場案内装置３９Ｂ以外にも、案内装置５０として、建物１００内の管理人室に設けられる管理人室案内装置８、建物１００外の昇降機３の遠隔監視センタに設けられる監視センタ案内装置９等を含んで構成されてもよい。管理人室案内装置８、監視センタ案内装置９は、かご案内装置３９Ａ、乗場案内装置３９Ｂと同様に、例えば、スピーカ、表示装置等を含んで構成される。制御装置４は、管理人室案内装置８、監視センタ案内装置９を制御して、例えば、管理人や監視センタの係員等に対して、蓄電装置２に関する情報を案内させるようにしてもよい。また、電力システム１は、さらに、案内装置５０として、昇降機３外に携帯可能な携帯端末機器１０を含んで構成されてもよい。携帯端末機器１０は、例えば、ノート型のパーソナルコンピュータ等の情報処理装置、携帯電話、スマートフォン、ＰＨＳ、及びＰＤＡ等の携帯端末装置等により構成されればよい。制御装置４は、通信機器１０ａ等を介して携帯端末機器１０を制御して、例えば、建物１００のオーナやテナント利用者等に対して、蓄電装置２に関する情報を案内させるようにしてもよい。なお、以下では、かご案内装置３９Ａ、乗場案内装置３９Ｂ、管理人室案内装置８、監視センタ案内装置９、携帯端末機器１０をまとめて単に「案内装置５０」という場合がある。
【００３６】
本実施形態の制御装置４は、統合制御装置４５が蓄電装置２に関する情報を取得し、これに応じて、電力システム１の各部に案内指令信号を送信して、蓄電装置２に関する情報を案内させる。
【００３７】
ここでは、統合制御装置４５は、例えば、エレベータ制御装置４６やバッテリ制御装置４７から取得する電流計２４や電圧計２５による検出結果に基づいて、蓄電装置２の残存蓄電量を監視することができる。なお、統合制御装置４５は、例えば、昇降機３がバッテリ２３だけで運転されるような場合には、当該バッテリ２３の残存蓄電量を監視するようにしてもよい。また、統合制御装置４５は、例えば、昇降機３がバッテリ２１、２２、２３全てで運転されるような場合には、当該バッテリ２１、２２、２３全ての残存蓄電量を監視するようにしてもよい。
【００３８】
そして、統合制御装置４５は、蓄電装置２の残存蓄電量に基づいて蓄電装置２に関する情報を含む案内指令信号を生成し、当該案内指令信号をエレベータ制御装置４６に送信する。エレベータ制御装置４６は、受信した案内指令信号に基づいて、かご案内装置３９Ａ、乗場案内装置３９Ｂを制御し、蓄電装置２に関する情報を案内させる。また、統合制御装置４５は、蓄電装置２の残存蓄電量に基づいて蓄電装置２に関する情報を含む案内指令信号を生成し、当該案内指令信号を管理人室案内装置８、監視センタ案内装置９に送信する。これにより、統合制御装置４５は、管理人室案内装置８、監視センタ案内装置９に蓄電装置２に関する情報を案内させる。さらに、統合制御装置４５は、蓄電装置２の残存蓄電量に基づいて蓄電装置２に関する情報を含む案内指令信号を生成し、当該案内指令信号を、通信機器１０ａ等を介して携帯端末機器１０に送信する。これにより、統合制御装置４５は、携帯端末機器１０に、蓄電装置２に関する情報を案内させる。統合制御装置４５は、昇降機３の昇降中や乗場３５へ着床した状態等の昇降機３によるサービス中、昇降機３によるサービスの休止中、昇降機３の保守点検中のいずれの場合であっても、上記蓄電装置２に関する情報を案内させるようにしてもよい。
【００３９】
上記蓄電装置２に関する情報としては、例えば、蓄電装置２の残存蓄電量そのもの、蓄電装置２の残存蓄電量に基づいた昇降機３の運転可能時間、又は、蓄電装置２の残存蓄電量に基づいた昇降機３の運転可能回数のうちの少なくとも１つを含んでいてもよい。つまり、統合制御装置４５は、案内装置５０を制御し、蓄電装置２の残存蓄電量、蓄電装置２の残存蓄電量に基づいた昇降機３の運転可能時間、又は、蓄電装置２の残存蓄電量に基づいた昇降機３の運転可能回数等を案内させるようにしてもよい。この場合、統合制御装置４５は、案内装置５０を制御し、現在の蓄電装置２の残存蓄電量、運転可能時間、運転可能回数を案内するようにしてもよいし、過去の蓄電装置２の残存蓄電量、運転可能時間、運転可能回数を記憶部に記憶しておき、当該過去の蓄電装置２の残存蓄電量、運転可能時間、運転可能回数の履歴を案内するようにしてもよい。統合制御装置４５は、案内装置５０や遠隔監視センタ等を介した操作に応じて、表示内容を適宜切り替えるようにしてもよいし、例えば、時間帯に応じて自動で表示内容を適宜切り替えるようにしてもよい。
【００４０】
ここで、統合制御装置４５は、例えば、蓄電装置２の残存蓄電量と、昇降機３（ここでは、昇降機３の乗りかご３１）の積載荷重と、昇降機３の昇降速度とに基づいて、昇降機３の運転可能時間、昇降機３の運転可能回数を算出することができる。昇降機３の積載荷重は、荷重検出器３７よる検出結果に基づいてエレベータ制御装置４６から取得される。昇降機３の昇降速度は、例えば、予め設定される昇降速度や電動機３４ｂの出力負荷等から推定される昇降速度を用いればよい。昇降機３の運転可能時間は、蓄電装置２からの電力によって、昇降機３の昇降運転を継続することができる残り時間に相当する。昇降機３の運転可能回数は、蓄電装置２からの電力によって、昇降機３が所定の階床間を昇降可能な残り回数に相当する。
【００４１】
統合制御装置４５は、例えば、蓄電装置２の残存蓄電量と、昇降機３の積載荷重と、昇降機３の昇降速度と、上記運転可能時間と、上記運転可能回数との関係を、昇降機３の昇降に必要な必要電力量を踏まえて予め設定したマップあるいは数式モデルが記憶部に記憶されている。統合制御装置４５は、上記のようにして監視している現時点（演算対象時点）での蓄電装置２の残存蓄電量、昇降機３の積載荷重、昇降機３の昇降速度に基づいて、当該マップあるいは数式モデルを用いて、運転可能時間、運転可能回数を演算する。なお、統合制御装置４５は、蓄電装置２の残存蓄電量、昇降機３の積載荷重、昇降機３の昇降速度に加えて、さらに、昇降機３の乗りかご３１の運転階床、乗りかご３１の現在位置等に基づいて、運転可能時間、運転可能回数を演算するようにしてもよい。また、統合制御装置４５は、上記のパラメータに加えて、さらに、昇降機３の乗りかご３１の加速度、加加速度等を含んでいてもよい。例えば、統合制御装置４５は、蓄電装置２の残存蓄電量と、昇降機３の積載荷重と、昇降機３の昇降速度と、昇降機３の乗りかご３１の加速度と、昇降機３の乗りかご３１の加加速度とに基づいて運転可能時間、運転可能回数を演算するようにしてもよい。
【００４２】
また、統合制御装置４５は、案内装置５０を制御し、蓄電装置２の残存蓄電量に基づいて、昇降機３によって所望の目的地まで昇降可能であるか否かを案内させるようにしてもよい。統合制御装置４５は、例えば、蓄電装置２の残存蓄電量、昇降機３の積載荷重等に基づいて、かご操作盤３６、乗場操作盤３８等を介して登録された呼び登録に対して、当該呼び登録によって登録された階床まで乗りかご３１を移動させることができるか否かを判定する。統合制御装置４５は、例えば、現在の昇降機３の積載荷重で、登録された階床まで乗りかご３１を昇降させるために必要な必要電力量を推定し、当該必要電力量を現在の蓄電装置２の残存蓄電量でまかなうことができるか否かを判定する。これにより、統合制御装置４５は、登録された階床まで乗りかご３１を移動させることができるか否かを判定することができる。統合制御装置４５は、当該必要電力量を現在の蓄電装置２の残存蓄電量でまかなうことができると判定した場合には、昇降機３によって所望の目的地まで昇降可能であると判定する。そして、統合制御装置４５は、案内装置５０を制御し、昇降機３によって所望の目的地まで昇降可能である旨の案内を行う。一方、統合制御装置４５は、当該必要電力量を現在の蓄電装置２の残存蓄電量でまかなうことができないと判定した場合には、昇降機３によって所望の目的地まで昇降不能であると判定する。そして、統合制御装置４５は、案内装置５０を制御し、昇降機３によって所望の目的地まで昇降不能である旨の案内を行う。
【００４３】
また、統合制御装置４５は、電力情報取得装置７から建物１００の電力使用量に関する情報を取得可能である。そして、統合制御装置４５は、さらに、案内装置５０を制御し、建物１００の電力使用量を案内するようにしてもよい。この場合、統合制御装置４５は、案内装置５０を制御し、現在の建物１００の電力使用量を案内するようにしてもよいし、過去の電力使用量を記憶部に記憶しておき、過去の建物１００の電力使用量の履歴を案内するようにしてもよい。この場合も、統合制御装置４５は、案内装置５０や遠隔監視センタ等を介した操作に応じて、表示内容を適宜切り替えるようにしてもよいし、例えば、時間帯に応じて自動で表示内容を適宜切り替えるようにしてもよい。
【００４４】
また、統合制御装置４５は、案内装置５０を制御し、電力情報取得装置７から取得した建物１００の電力使用量を見込んだ蓄電装置２に関する情報を案内させるようにしてもよい。この場合、統合制御装置４５は、例えば、現在の建物１００の電力使用量や過去の建物１００の電力使用量の履歴等に基づいて、現時点以降の時間帯での建物１００の電力使用量の推移を推定し、これに応じて蓄電装置２の残存蓄電量の変動を予想するようにしてもよい。そして、統合制御装置４５は、案内装置５０を制御し、建物１００の電力使用量に応じて予測した蓄電装置２の残存蓄電量の予想値を案内させるようにしてもよい。この場合、統合制御装置４５は、蓄電装置２の残存蓄電量の現在値と予想値とを並列的に表示案内させるようにしてもよいし、案内装置５０や遠隔監視センタ等を介した操作に応じて、表示内容を適宜切り替えるようにしてもよいし、時間帯に応じて自動で表示内容を適宜切り替えるようにしてもよい。
【００４５】
さらに、統合制御装置４５は、昇降機３が設けられる建物１００とは別の他の建物２００、３００と連係可能であり、案内装置５０を制御し、当該他の建物２００、３００の蓄電装置（不図示）の残存蓄電量を踏まえて蓄電装置２に関する情報を案内させるようにしてもよい。この電力システム１は、上述したように、建物１００とは別の建物２００、３００を電力源とし、当該建物２００、３００から電力を受電し、あるいは、建物１００と建物２００、３００との間で相互に電力を融通するようにしてもよい構成となっている。このため、統合制御装置４５は、昇降機３が建物２００、３００の蓄電装置からの電力を受けて昇降するような場合には、建物１００の蓄電装置２の残存蓄電量と建物２００、３００の蓄電装置（不図示）の残存蓄電量との合計に基づいた蓄電装置２に関する情報を案内装置５０に案内させるようにしてもよい。
【００４６】
図２、図３は、案内装置５０としてのかご案内装置３９Ａ、乗場案内装置３９Ｂによる案内の一例を表している。図２の例では、かご案内装置３９Ａは、例えば、案内表示情報を表示可能な表示装置５０ａを有する。表示装置５０ａは、例えば、かご操作盤３６を含むＣＯＰに組み込まれて設けられる。かご操作盤３６を含むＣＯＰは、例えば、鉛直方向上側から順に、かご呼び登録ボタン３６ａ、扉開ボタン３６ｂ及び扉閉ボタン３６ｃ、スイッチボックス３６ｄ等が設けられる。かご呼び登録ボタン３６ａは、「行先階」を表すボタン等からなり利用者による呼び登録操作を受け付けるものである。扉開ボタン３６ｂ、扉閉ボタン３６ｃは、昇降機３の扉の「開」、「閉」等に対応し利用者による扉開放操作、扉閉鎖操作を受け付けるものである。スイッチボックス３６ｄは、昇降機３の乗りかご３１における各種スイッチ等を収納するものである。ここでは、表示装置５０ａは、かご呼び登録ボタン３６ａの鉛直方向上側に設けられる。図３の例では、乗場案内装置３９Ｂは、案内表示情報を表示可能な表示装置５０ｃを有する。表示装置５０ｃは、乗場操作盤３８を含むＨＩＢに組み込まれて設けられる。乗場操作盤３８を含むＨＩＢは、例えば、乗場呼び登録ボタン３８ａ等が設けられる。乗場呼び登録ボタン３８ａは、「上方向矢印」、「下方向矢印」を表すボタン等からなり利用者による呼び登録操作を受け付けるものである。ここでは、表示装置５０ｃは、乗場呼び登録ボタン３８ａの鉛直方向上側に設けられる。
【００４７】
図２、図３の例では、統合制御装置４５は、かご案内装置３９Ａ、乗場案内装置３９Ｂを制御し、蓄電装置２に関する情報として、例えば、電池を模したレベルインジケータ５０ｂ、５０ｄを表示装置５０ａ、５０ｃに案内表示させる。レベルインジケータ５０ｂ、５０ｄは、蓄電装置２等の残存蓄電量を表すインジケータである。ここでは、レベルインジケータ５０ｂ、５０ｄは、蓄電装置２等の残存蓄電量を５段階で案内表示する。また、図２の例では、統合制御装置４５は、かご案内装置３９Ａを制御し、昇降機３の運転可能回数として、「１階→５階」の移動の場合には「１０回」、「２階→３階」の移動の場合には「５０回」などと表示装置５０ａ、５０ｃに案内表示させる。また、図３の例では、統合制御装置４５は、乗場案内装置３９Ｂを制御し、昇降機３の運転可能時間として「運転時間  残り  １０分」、昇降機３の運転可能回数として「あと、２回乗れます。」などと表示装置５０ｃに案内表示させる。
【００４８】
次に、図４のフローチャートを参照して制御装置４による制御の一例を説明する。なお、これらの制御ルーチンは、数ｍｓないし数十ｍｓ毎の制御周期で繰り返し実行される。
【００４９】
まず、制御装置４は、蓄電装置２の残存蓄電量を計測する（ステップＳＴ１）。このとき、制御装置４は、状況に応じて、建物２００、３００の蓄電装置の残存蓄電量もあわせて計測するようにしてもよい。
【００５０】
次に、制御装置４は、ステップＳＴ１で計測した蓄電装置２の残存蓄電量に基づいて、蓄電装置２に関する情報を生成する（ステップＳＴ２）。制御装置４は、蓄電装置２に関する情報として、例えば、蓄電装置２の残存蓄電量、昇降機３の運転可能時間、昇降機３の運転可能回数、昇降機３によって所望の目的地まで昇降可能であるか否か等の情報を生成する。
【００５１】
次に、制御装置４は、ステップＳＴ２で生成した蓄電装置２に関する情報に基づいて、案内装置５０を制御して、蓄電装置２に関する情報を案内させて（ステップＳＴ３）、現在の制御周期を終了し、次の制御周期に移行する。
【００５２】
上記のように構成される電力システム１は、建物１００の電気設備１０１等の電源としても兼用される蓄電装置２によって昇降機３が運転される。そして、電力システム１は、案内装置５０によって、当該昇降機３の利用者等に対して、建物１００での他の電気設備１０１の電力使用状態の影響をうける当該蓄電装置２に関する情報を案内させることができる。これにより、電力システム１は、昇降機３の利用者等に対して、当該昇降機３を昇降させる蓄電装置２に関する情報を周知することができる。ここでは、案内装置５０は、かご案内装置３９Ａ、乗場案内装置３９Ｂ、管理人室案内装置８、監視センタ案内装置９、携帯端末機器１０等を含んで構成される。このため、電力システム１は、これらの案内装置５０によって、昇降機３の利用者以外にも、建物１００の管理人、監視センタの係員、建物１００のオーナ、テナント利用者等に対して、蓄電装置２に関する情報を周知することができる。
【００５３】
この結果、この電力システム１は、上記利用者等に対して、例えば、蓄電装置２が放電の限界に達し昇降機３が停止状態となる時期等を適切に周知することができる。これにより、電力システム１は、利用者等に対して、昇降機３が急に停止状態となったと感じさせるような事態が発生することを抑制することができ、例えば、利用者等に対して安心感を与えることができる。この結果、利用者は、例えば、昇降機３が実際に停止状態となる前に、当該昇降機３が停止状態となった後のことを予め想定することができ、例えば、非常階段を利用する等の選択肢を事前に判断することができる。また、例えば、乗場３５で乗りかご３１に乗り込もうと待機していた利用者も乗りかご３１が停止状態となる時期を事前に知ることができるので、非常階段を利用する等の選択肢を事前に判断することができる。したがって、電力システム１は、当該昇降機３が設置された建物１００内の多くの人が効率よく利用することができる。また、電力システム１は、建物１００の電力使用状態を踏まえた蓄電装置２に関する情報を、昇降機３の利用者の他、建物１００の管理人、監視センタの係員、建物１００のオーナ、テナント利用者等に知らせることができるので、建物１００全体の電力使用状態に応じた対策を事前に準備させることができる。したがって、電力システム１は、昇降機３と当該昇降機３が設けられる建物１００での電力使用状態とを連係させて、適正に昇降機３を運転させることができる。
【００５４】
以上で説明した昇降機３を備えた建物１００の電力システム１は、蓄電装置２と、昇降機３と、案内装置５０と、制御装置４とを備える。蓄電装置２は、建物１００の電気設備１０１を作動させる電力を蓄電可能である。昇降機３は、建物１００に設けられ蓄電装置２からの電力により昇降する。案内装置５０は、昇降機３の運転に関する案内を行う。制御装置４は、案内装置５０を制御し、蓄電装置２に関する情報を案内させる。
【００５５】
したがって、この電力システム１は、商用電源４００の健全時、停電時にかかわらず、利用者等に対して蓄電装置２に関する情報を周知することができる。そして、電力システム１は、昇降機３と当該昇降機３が設けられる建物１００での電力使用状態とを連係させて、適正に昇降機３を運転させることができ、例えば、蓄電装置２の電力を効果的に利用することができる。また、電力システム１は、例えば、昇降機３を備えた建物１００の全体で電力のマネージメントを効率的に行い、省エネルギで昇降機３を運用することができる。また、電力システム１は、例えば、昇降機３が設けられる建物１００とは別の他の建物２００、３００とも連係可能であり、これら建物１００、２００、３００を含む地域全体で電力のマネージメントを効率的に行うことができる。
【００５６】
なお、上述した実施形態に係る昇降機を備えた建物の電力システムは、上述した実施形態に限定されず、特許請求の範囲に記載された範囲で種々の変更が可能である。
【００５７】
以上の説明では、かご案内装置３９Ａ、乗場案内装置３９Ｂは、案内表示情報を表示可能な表示装置５０ａ、５０ｃを有するものとして説明したが、音声案内情報をアナウンス可能なスピーカ等を有するものであってもよい。この場合、かご案内装置３９Ａ、乗場案内装置３９Ｂは、例えば、蓄電装置２に関する情報として、所定時間ごとにスピーカによって「運転時間  残り  １０分」、「あと、２回乗れます。」等の音声案内情報をアナウンスするようにしてもよい。また、かご案内装置３９Ａ、乗場案内装置３９Ｂは、例えば、蓄電装置２の残存蓄電量が所定値より多く、十分に残っている場合には、例えば、「使用可能です。」等の音声案内情報をアナウンスするようにしてもよい。また、かご案内装置３９Ａ、乗場案内装置３９Ｂは、例えば、蓄電装置２の残存蓄電量が所定値より少なくなってきた場合には、例えば、「あと１階床分使用できます。」、「低速度での運転に変更します。」等の音声案内情報をアナウンスするようにしてもよい。この場合、制御装置４は、通常運転の場合と比較して昇降機３の昇降速度を低下させ、昇降機３での電力使用量を抑制するようにしてもよい。また、かご案内装置３９Ａ、乗場案内装置３９Ｂは、例えば、蓄電装置２の残存蓄電量が昇降機３を昇降させることができない程度の量になった場合には、例えば、「電池残量がありませんのでエレベータは使用できません。」等の音声案内情報をアナウンスするようにしてもよい。
【００５８】
以上で説明した実施形態、変形例に係る昇降機を備えた建物の電力システムによれば、昇降機と当該昇降機が設けられる建物での電力使用状態とを連係させて、適正に昇降機を運転させることができる。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１    電力システム
２    蓄電装置
３    昇降機
４    制御装置
５    太陽光パネル
６    変換器
７    電力情報取得装置
８    管理人室案内装置（案内装置）
９    監視センタ案内装置（案内装置）
１０    携帯端末機器（案内装置）
２１、２２、２３    バッテリ
２４    電流計
２５    電圧計
３１    乗りかご
３２    カウンタウェイト
３３    メインロープ
３４    巻上機
３５    乗場
３６    かご操作盤
３７    荷重検出器
３８    乗場操作盤
３９Ａ    かご案内装置（案内装置）
３９Ｂ    乗場案内装置（案内装置）
４１    受電変換器
４２、４３    切替器
４４    インバータ
４５    統合制御装置
４６    エレベータ制御装置
４７    バッテリ制御装置
５０    案内装置
５０ａ、５０ｃ    表示装置
５０ｂ、５０ｄ    レベルインジケータ
１００、２００、３００    建物
１０１    電気設備
４００    商用電源
【図１】
2014114105.tif 000003
【図２】
2014114105.tif 000004
【図３】
2014114105.tif 000005
【図４】
2014114105.tif 000006